(57)【特許請求の範囲】
【請求項１】
建物の外壁から突出して固定される外装部材の取付具であって、
建物内部の床パネルにおける外壁面に対して長手方向が直角に位置する縦芯材に固定されるパネル固定部材と、
このパネル固定部材に前記外壁の室内側に位置する一方の端部が固定されるとともに他方の端部が外壁の室外側表面に突出する全体形状が棒状の締結部材と、
この締結部材の外壁の室外側端部に固定されるとともに外装部材が取り付けられる腕部材とを備え、
前記締結部材は、前記外壁を貫通する円柱状の締結部材本体部と、その両端部から突出する小径な室内側及び室外側ねじ切り部を備え、
前記パネル固定部材が、前記締結部材本体部の室内側端面に当接した状態で、室内側ナットで室内側ねじ切り部に固定されるとともに、
前記締結部材本体部の室外側端面が前記外壁表面から突出し、前記腕部材が前記締結部材本体部の室外側端面に当接した状態で、室外側ナットで室外側ねじ切り部に固定されることにより、前記腕部材は、パネル固定部材との間で外壁表面を押圧することなく締結部材及びパネル固定部材を介して床パネルの縦芯材に支持されていることを特徴とする外装部材の取付具。
【請求項２】
パネル固定部材は、床パネルの縦芯材の長手方向の両側面から挟み込んで固定されていることを特徴とする請求項１記載の外装部材の取付具。
【発明の詳細な説明】
【０００１】
【発明の属する技術分野】
この発明は外装部材の取付具、更に詳しくは、建物の外壁から外に突出して固定されるバルコニー、フラワーボックス、庇等の外装部材を固定するための取付具に関する。
【０００２】
【先行技術】
本発明の従来技術の説明に当たり、本出願人は、予め日本特許情報機構（ＪＡＰＩＯ）の先行技術調査（パトリス）の利用により、以下の検索式で昭和５５年以後の特許出願、実用新案登録出願を調査した。
検索式  ：  Ｅ０４Ｂ１／００Ｂ
その結果、特許出願約８０件、実用新案登録出願約１７０件を抽出した。
その中で、実開昭５９−３２００２号に記載された「バルコニーの取付構造」に係る技術を、図５とともに以下説明する。ここで図５は、実開昭５９−３２００２号に記載された「バルコニーの取付構造」を示すための縦断面図である。
【０００３】
この技術は、その実用新案登録請求の範囲で明らかなように、壁パネル等の躯体2aの外面にモルタル等の外装材3aを固定した外壁体1aの外側に、該外壁体1aを貫通するボルト5aにより取付金物6aを固定し、該取付金物6aを介してバルコニー4aを取り付けたバルコニーの取付構造であって、上記外装材3aにおける上記ボルト5aの貫通部の周辺部のみを切欠き除去して切欠き部を形成し、該切欠き部に、該切欠き部の大きさに適合し且つ上記ボルト5aの貫通されるスペーサー8aを嵌合したものである。
この技術によれば、壁パネル等の躯体2aの外面に予め工場段階でモルタル等の外装材3aを固定した外壁体1aの外側に、バルコニー4aを取り付けるに際し、上記躯体2aを小さく切欠き除去し、そこにスペーサー8aを嵌合させるだけで、ボルト5a及び取り付け金物6aを介してバルコニー4aを取り付けることができるから、バルコニー4aの取付を容易且つ確実に行うことができるのである。
【０００４】
【発明が解決しようとする課題】
しかし、上記した従来の技術において、バルコニー4aは、ボルト5a及び取り付け金物6aを介して建物の外壁体1aを構成する壁パネル等の躯体2aの両面を挟み込むことにより建物の外壁体1aに固定されていた。すなわち、バルコニー4aの全重量は、建物の外壁体1aに直接加わるものであった。そして、この外壁体1aは、外気に露出しているため、日光、雨、風、雪等が直接あたり、これらの厳しい環境に曝されて局部的な劣化や変形や撓みが起こりやすい箇所であった。
そのような外壁体1aにバルコニー4aの全荷重が加わるように取り付けて、長期間安定した固定構造を確保するためにはバルコニー4aが面する外壁体1aの広範囲において多数のボルト5aを使用し強固に固定しなければならず、現場施工における取付作業が容易ではないという問題点があった。
【０００５】
そこで、請求項１記載の発明は、上記した従来の技術の有する問題点に鑑みてなされたものであり、その目的とするところは、外装部材を外壁に固定する場合よりも強固に固定することができて締結部材の個数を減らすことができ、現場施工における外装部材の取付作業を容易なものにすることができる外装部材の取付具を提供しようとするものである。
【０００６】
これに加えて、請求項２記載の発明は、より強固にパネル固定部材を縦芯材に固定することにより締結部材の個数を更に減らすことができて現場施工における外装部材の取付作業を容易なものにすることができる外装部材の取付具を提供しようとするものである。
なお、前述の先行技術調査によっては、本願発明と同一の技術は発見できなかった。
【０００７】
【課題を解決するための手段】
本発明は、上記した目的を達成するためのものである。
請求項１記載の発明は、建物の外壁(14)から突出して固定される外装部材の取付具であって、建物内部の床パネル(10)における外壁(14)面に対して長手方向が直角に位置する縦芯材(11)に固定されるパネル固定部材(20)と、このパネル固定部材(20)に前記外壁(14)の室内側に位置する一方の端部が固定されるとともに他方の端部が外壁(14)の室外側表面に突出する全体形状が棒状の締結部材(30)と、この締結部材(30)の外壁(14)の室外側端部に固定されるとともに外装部材が取り付けられる腕部材(40)とを備え、前記締結部材(30)は、前記外壁(14)を貫通する円柱状の締結部材本体部(63)と、その両端部から突出する小径な室内側及び室外側ねじ切り部(32,31) を備え、前記パネル固定部材(20)が、前記締結部材本体部(63)の室内側端面に当接した状態で、室内側ナット(38)で室内側ねじ切り部(32)に固定されるとともに、前記締結部材本体部(63)の室外側端面が前記外壁表面から突出し、前記腕部材(40)が前記締結部材本体部(63)の室外側端面に当接した状態で、室外側ナット(35,36) で室外側ねじ切り部(31)に固定されることにより、前記腕部材(40)は、パネル固定部材(20)との間で外壁(14)表面を押圧することなく締結部材(30)及びパネル固定部材(20)を介して床パネル(10)の縦芯材(11)に支持されていることを特徴とする。
【０００８】
ここで、腕部材(40)は、外壁(14)の表面を押圧することなく締結部材(30)及びパネル固定部材(20)を介して床パネル(10)の芯材(11)に固定されている。
このため、外壁(14)に日光、雨、雪、風が直接あたって、その厳しい環境に曝されて劣化し、変形したり撓んだりしても、腕部材(40)がその影響を受けて傾斜や変形することがない。これにより、腕部材(40)を、外壁(14)に固定するよりも少ない締結部材(30)で強固に固定することができ、現場施工におけ外装部材の取付作業を容易なものにすることができるのである。
【０００９】
請求項２記載の発明は、上記した請求項１記載の特徴点に加え、パネル固定部材(20)は、床パネル(10)の縦芯材(11)の長手方向の両側面から挟み込んで固定されていることを特徴とする。
ここで、パネル固定部材(20)は、床パネル(10)の縦芯材(11)の長手方向の両側面から挟み込んで固定されているため、片方の側面にのみ固定する場合と比較して、縦芯材(11)の左右対称に力を加えることができる。
このため、縦芯材(11)の一方の側面にのみ応力が集中することなく、パネル固定部材(20)をより安定した状態で縦芯材(11)に固定することができる。これにより、パネル固定部材(20)を縦芯材(11)の一方の側面に固定するよりも少ない締結部材(30)で強固に固定することができ、現場施工におけ外装部材の取付作業を更に容易なものにすることができるのである。
【００１０】
【発明の実施の形態】
以下、本発明の実施の形態を図面に基づいて、更に詳しく説明する。
図１乃至図４は、本発明の実施の形態を示すものであり、図１は外装部材の取付具の組立側面図、図２は外装部材の取付具の一部縦断面図、図３は外装部材の取付具の一部分解斜視図、図４は外装部材の取付具の組立斜視図をそれぞれ示す。
【００１１】
まず、本実施の形態の構成について説明する。
本実施の形態は、建物の外壁14から突出して固定される外装部材の取付具である。本外装部材は、バルコニーであるがもちろんこれに限定されるものではなく、フラワーボックスや庇等の建物の外壁から外に突出して固定されるものであっても良い。そして、建物の内部の上下階の間には、床パネル10が水平に配置されている。
この床パネル10は、水平に配置された四角枠状の枠材12とその枠材12の上面に形成された面材13とを備え、前記枠材12の内部には、建物内部の床パネル10における外壁14面に対して長手方向が直角に位置する縦芯材11と、図示しないが外壁14面に対して長手方向が平行に位置する横芯材とを備えている。
また、床パネル10の枠材12の室外側端部には建物の外壁14の横方向に延設された胴差し17が形成されている。また、外壁14は、建物の構造体である壁パネル15と、その壁パネル15の室外側に形成されて外壁14の表面を化粧する平板状のサイディング部材16とを備えている。
【００１２】
本実施の形態に係る外装部材の固定構造は、前記縦芯材11に固定される水平断面形状が略Ｌ字状のパネル固定部材20と、そのパネル固定部材20に固定されるとともに端部が外壁14の室外側表面から突出する全体形状が棒状の締結部材30と、その締結部材30の外壁14の室外側端部に締結されるとともに建物室外側に向かって延設されて外装部材が取り付けられる腕部材40とを備えている。
【００１３】
前記パネル固定部材20は、図３に示すように縦芯材11の長手方向の両側面に２個形成され、互いに対称となるように形成されている。そして、各パネル固定部材20は、床パネル10の縦芯材11の長手方向の側面に沿って固定される芯材固定部21と、床パネル10の枠材12に沿って形成されている枠材固定部22とを備えている。そして、２個のパネル固定部材20は、その芯材固定部21同士により縦芯材11を両側面から挟み込むように縦芯材11の厚み方向に貫通する４個の金物固定ボルト23により固定されている。
【００１４】
前記締結部材30は、円柱状の締結部材本体部63と、その締結部材本体部63の室内側の先端端部に位置してパネル固定部材20との固定位置の調整が可能な室内側調整部62と、締結部材本体部63の室外側の先端端部に位置して腕部材40との固定位置の調整が可能な室外側調整部61とを備えている。前記締結部材本体部63の反建物側の端面はサイディング部材16の反建物側の表面よりも僅かに反建物側に突出するように設定されている。
前記室内側調整部62は、室内側に臨む先端端部であってねじ切られた室内側ねじ切り部32と、パネル固定部材20の枠材固定部22に溶接により固定されるとともに室内側ねじ切り部32がねじ込み可能な室内側ナット38を備えている。すなわち、締結部材30を回転することにより、締結部材30の反建物側への突出長さを自由に調節することができるように形成されているものである。
また、前記室外側調整部61は、室外側に臨む先端端部であってねじ切られた室外側ねじ切り部31と、腕部材40を固定するために室外側ねじ切り部31にはめ込み可能な座金33、座金34、室外側ナットである内側ナット35及び外側ナット36を有している。
【００１５】
また、床パネル10の枠材12、胴差し17及びサイディング部材16には、締結部材30の締結部材本体部63を挿入可能な挿入孔18が穿設されてあり、その径は締結部材本体部63の径より僅かに大きく設定されている。そして、この挿入孔18に締結部材30の締結部材本体部63が挿入され、室内側に室内側調整部62の室内側ねじ切り部32が突出し、室外側に室外側調整部61の室外側ねじ切り部31が突出するように形成されている。そして、パネル固定部材20の枠材固定部22には、室内側ねじ切り部32の径より大きく、締結部材本体部63の径より小さな挿入孔19が形成されており、室内側ねじ切り部32は枠材固定部22の挿入孔19に挿入され、枠材固定部22に固定された室内側ナット38にねじ込まれて固定されている。
【００１６】
前記腕部材40は、前記締結部材30に固定される矩形平板状の固定当接部42と、この固定当接部42の反建物側に延設する四角筒状の本体部41とを備えている。
前記固定当接部42は、前記締結部材30の室外側ねじ切り部31が挿入可能な挿入孔19が左右に４個ずつ計８個穿設されている。この挿入孔19は楕円状であって、その短径は、室外側ねじ切り部31の径より大きく且つ締結部材本体部63の径より小さくなるように設定されている。そして、サイディング部材16から室外側に突出する室外側ねじ切り部31に座金33がはめられ、その座金33の反建物側には腕部材40の固定当接部42の挿入孔19がはめ込まれている。そして、座金34、室外側ナットである内側ナット35及び外側ナット36により腕部材40の固定当接部42が室外側ねじ切り部31に固定されている。
また、締結部材30における締結部材本体部63の反建物側の端面はサイディング部材16の表面より僅かに反建物側に突出しているため、室外側ねじ切り部31にはめ込まれる座金33及び固定当接部42は、サイディング部材16の表面を押圧することがない。すなわち、腕部材40はパネル固定部材20との間でサイディング部材16や壁パネル15を挟み込む方向に押圧することなく締結部材30及びパネル固定部材20を介して床パネル10の縦芯材11に支持されている。そして、本外装部材の取付具において、外壁14は締結部材30が貫通するだけで外装部材の荷重は締結部材30を介して床パネル10の縦芯材11に伝わるように形成されている。
【００１７】
そして、固定当接部42は、その上部を除く周縁部において反建物側に向かって縦断面形状がコ字状に形成された枠状補強板43と、本体部41の側面との間で水平に配置された三角片状の三角片状補強板44とを備えている。この枠状補強板43及び三角片状補強板44は、固定当接部42の剛性を高めるために形成されているものである。そして、腕部材40の室外側の先端には、複数の腕部材40同士の先端同士を結ぶ縦断面形状がコ字状の頭つなぎ部材50が室外側からねじ込まれた固定ボルト53により固定されている。
なお、その固定ボルト53と頭つなぎ部材50との間には、固定ボルト53による固定を確実なものとするためにばね座金54及び座金34がはめ込まれている。また、頭つなぎ部材50の上面には、上方に向かって延設された縦断面形状がコ字状の上延設部材52が形成され、頭つなぎ部材50の下面には、下方に向かって延設された縦断面形状が逆Ｌ字状の下延設部材51が形成されている。そして、その下延設部材51の下部には、軒天井を形成するための調整材56が形成されている。
【００１８】
次に、本発明の実施の形態の作用及び効果について説明する。
本実施の形態に係る外装部材の取付具において、腕部材40の固定当接部42は、サイディング部材16や壁パネル15の表面を挟み込む方向に押圧することなく締結部材30及びパネル固定部材20を介して床パネル10の縦芯材11に固定されている。すなわち、本外装部材の取付具において、外壁14には締結部材30が貫通するだけで外装部材の荷重は主に締結部材30を介して床パネル10の縦芯材11に伝わる。そして、パネル固定部材20、締結部材30及び腕部材40により、床パネル10の縦芯材11を反建物側に延長したのと同様の力学的効果を得ることができる。
【００１９】
例えば、サイディング部材16及び壁パネル15からなる外壁14に日光、雨、雪、風が直接あたって、その厳しい環境に曝されて劣化し、変形したり撓んだりしても、腕部材40がその影響を受けて傾斜や変形することがない。すなわち、腕部材40は風雨等の影響を受けない床パネル10の縦芯材11に固定されているため、安定した強度を長期間維持することができる。これにより、腕部材40を、外壁14に固定するよりも少ない締結部材30を使用して固定することができ、現場施工におけ外装部材の取付を容易なものにすることができる。
【００２０】
また、パネル固定部材20は、床パネル10の縦芯材11の長手方向の両側面から挟み込んで固定されているため、片方の側面にのみ固定する場合と比較して、縦芯材11の両側面において対称に力を加えることができる。このため、縦芯材11の一方の側面にのみ応力が集中することなく、パネル固定部材20をより安定した状態で縦芯材11に固定することができる。これにより、パネル固定部材20を縦芯材11の一方の側面に固定するよりも少ない締結部材30で強固に固定することができ、現場施工における外装部材の取付作業を更に容易なものにすることができる。
【００２１】
また、締結部材30は、枠材固定部22に固定した室内側ナット38と室内側ねじ切り部32とからなる室内側調整部62を有しているため、床パネル10の枠材12、胴差し17及びサイディング部材16の厚みが変化しても、締結部材30を回転することにより、外壁14からの突出長さを自由に調整することができる。なお、室内側ナット38には図示していないが更にナットを追加してダブルナットにして調整後の固定をより確実なものにすることもできる。
【００２２】
また、締結部材30は、室外側ねじ切り部31、座金33、座金34、内側ナット35及び外側ナット36からなる室内側調整部62を有しているため、使用する座金34の厚さや個数を調整することにより、室外側ねじ切り部31の任意の位置に腕部材40の固定当接部42を固定することができる。そして、室外側ナットとして、内側ナット35及び外側ナット36からなるダブルナットを使用することにより、固定を確実なものにすることができる。
【００２３】
ここで、外壁14に取り付ける部材は、締結部材30、腕部材40及び頭つなぎ部材50の三種類の部品から形成されているため、現場施工において部品点数を少なくすることができる。これにより、部品管理が容易となり現場施工を容易なものにすることができる。また、各部品毎に取り扱うことができて各部品毎の重さは軽いため、現場での取り扱いが容易であり、クレーン等を使用することもなく、現場施工を容易なものとすることができる。
【００２４】
また、締結部材30は、建物の外壁14から室外側に突出しているため、建物の外壁14表面を仕上げた後に腕部材40を取り付けることができる。このため、建物が完成した後において腕部材40及び頭つなぎ部材50とともに外装部材を取り外すことが可能となる。これにより、外装部材のみの修理、交換が容易となり、維持管理を容易にすることができる。
【００２５】
【発明の効果】
本発明は、以上のように構成されているので、以下に記載されるような効果を奏する。
請求項１記載の発明によれば、外装部材を外壁に固定する場合よりも強固に固定することができて締結部材の個数を減らすことができ、現場施工における外装部材の取付作業を容易なものにすることができる外装部材の取付具を提供することができる。
【００２６】
請求項２記載の発明によれば、より強固にパネル固定部材を縦芯材に固定することにより締結部材の個数を更に減らすことができて現場施工における外装部材の取付作業を容易なものにすることができる外装部材の取付具を提供することができる。
【図面の簡単な説明】
【図１】  本発明の実施の形態であって、外装部材の取付具を示す組立側面図である。
【図２】  本発明の実施の形態であって、外装部材の取付具を示す一部縦断面図である
【図３】  本発明の実施の形態であって、外装部材の取付具を示す一部分解斜視図である。
【図４】  本発明の実施の形態であって、外装部材の取付具を示す組立斜視図である。
【図５】  従来の外装部材の取付具を示す縦断面図である。
【符号の説明】
10…床パネル、11…縦芯材、12…枠材、13…面材、14…外壁、15…壁パネル、16…サイディング部材、17…胴差し、18…挿入孔、19…挿入孔、20…パネル固定部材、21…芯材固定部、22…枠材固定部、23…金物固定ボルト、30…締結部材、31…室外側ねじ切り部、32…室内側ねじ切り部、33…座金、34…座金、35…内側ナット（室外側ナット）、36…外側ナット（室外側ナット）、37…座金、38…室内側ナット、40…腕部材、41…本体部、42…固定当接部、43…枠状補強板、44…三角片状補強板、50…頭つなぎ部材、51…下延設部材、52…上延設部材、53…固定ボルト、54…ばね座金、55…座金、56…調整材、61…室外側調整部、62…室内側調整部、63…締結部材本体部。
【図１】
0003647097.tif 000002
【図２】
0003647097.tif 000003
【図３】
0003647097.tif 000004
【図４】
0003647097.tif 000005
【図５】
0003647097.tif 000006